(57)【要約】【課題】貯留袋の取り付けや交換が容易な簡易トイレ用便座を提供すること。【解決手段】開放端における開放部分に対応する大きさの円孔部６２を有する台座部６と、台座部６に開閉回動可能に連結され、閉状態において台座部６を覆う大きさであると共に台座部６の円孔部６２に対応する大きさの楕円孔部７２を有する便座部７と、台座部６に開閉回動可能に連結され、閉状態において便座部７を上方から覆う便蓋部８と、を備え、便座部７は、着座姿勢において、小便を貯留可能な小便用貯留袋４及び大便を貯留可能な大便用貯留袋５を取り付け可能な取り付け部７４を裏面に有し、取り付け部７４は、楕円孔部７２を区画するように、第２の開口の前方側の位置に小便用貯留袋４又は楕円孔部７２の後方側の位置に大便用貯留袋５を取り付け可能である。【選択図】図５
0003169968.tif 000002
【実用新案登録請求の範囲】
【請求項１】
一端が開放した有底形状であり、小便及び大便を貯留可能な貯留容器の開放端側に取り付けられ、着座して用便を可能にする簡易トイレに用いられる簡易トイレ用便座であって、
前記貯留容器への取り付け状態において前記貯留容器上に設置可能に形成され、前記開放端における開放部分に対応する大きさの第１の開口を有する台座部と、
前記台座部に開閉回動可能に連結され、閉状態において前記台座部を覆う大きさであると共に前記台座部の前記第１の開口に対応する大きさの第２の開口を有する便座部と、
前記台座部に開閉回動可能に連結され、閉状態において前記便座部を上方から覆う蓋部と、を備え、
前記便座部は、着座姿勢において、小便を貯留可能な小便用貯留袋及び大便を貯留可能な大便用貯留袋を取り付け可能な取り付け部を裏面に有し、
前記取り付け部は、
前記第２の開口を区画するように、前記第２の開口の前方側の位置に前記小便用貯留袋又は前記第２の開口の後方側の位置に前記大便用貯留袋を取り付け可能であり、
前記小便用貯留袋及び前記大便用貯留袋は、前記便座部及び前記蓋部を開状態にすることにより前記取り付け部に取り付け可能であり、
前記小便用貯留袋又は前記大便用貯留袋を前記取り付け部に取り付けずに前記貯留容器のみの場合には、前記貯留容器に小便及び大便を貯留可能であり、
前記小便用貯留袋を前記取り付け部に取り付けた場合には、前記小便用貯留袋に小便を貯留可能であり、
前記大便用貯留袋を前記取り付け部に取り付けた場合には、前記大便用貯留袋に大便を貯留可能であることを特徴とする簡易トイレ用便座。
【請求項２】
前記小便用貯留袋及び前記大便用貯留袋が前記取り付け部に取り付けられた場合において、
前記大便用貯留袋は、水分を透過可能に形成され、前記取り付け部において前記第２の開口の後方側の位置に取り付けられ、
前記小便用貯留袋は、内部に前記大便用貯留袋が保持されるように、前記第２の開口全周に対応する前記取り付け部に取り付けられ、
前記大便用貯留袋に大便が貯留された場合には、前記大便用貯留袋から水分が透過して固形物のみが貯留され、前記小便用貯留袋に前記大便用貯留袋から透過した水分が貯留されることを特徴とする請求項１記載の簡易トイレ用便座。
【考案の詳細な説明】
【技術分野】
【０００１】
本考案は、簡易トイレにおいて貯留容器に取り付けられる簡易トイレ用便座に関する。
【背景技術】
【０００２】
従来より、ペール缶（貯留容器）上に便座及び蓋（簡易トイレ用便座）を取り付けて、屋外等で簡易的に使用する簡易トイレが知られている。この簡易トイレは、便座上に着座して用便が行われる。用便により排出されたし尿（小便又は大便）は、便座に設けられる開口から貯留容器内に貯留される（特許文献１）。
【先行技術文献】
【特許文献】
【０００３】
【特許文献１】実用新案登録第３０６９４６５号公報
【考案の概要】
【考案が解決しようとする課題】
【０００４】
上述した特許文献１記載の簡易トイレは、し尿を貯留する内袋（貯留袋）がペール缶と便座の間に挟まれて取り付けられている。内袋の取り付け交換に際しては、便座及び蓋をペール缶から取り外してから行う。
【０００５】
このため、特許文献１記載の簡易トイレにおいては、内袋を交換するために、便座及び蓋をペール缶から取り外さなければならず、取付け交換作業が煩雑であるという問題があった。また、特許文献１記載の簡易トイレにおいては、内袋の交換時のために、ペール缶から便座及び蓋を取り外した場合に、内袋の内部が露出する側から交換作業を行うために、衛生的ではないという問題があった。
【０００６】
そこで、本考案は、貯留袋の取り付けや交換が容易な簡易トイレ用便座を提供することを目的とする。
【課題を解決するための手段】
【０００７】
（１）本考案に係る簡易トイレ用便座においては、一端が開放した有底形状であり、小便及び大便を貯留可能な貯留容器の開放端側に取り付けられ、着座して用便を可能にする簡易トイレに用いられる簡易トイレ用便座であって、前記貯留容器への取り付け状態において前記貯留容器上に設置可能に形成され、前記開放端における開放部分に対応する大きさの第１の開口を有する台座部と、前記台座部に開閉回動可能に連結され、閉状態において前記台座部を覆う大きさであると共に前記台座部の前記第１の開口に対応する大きさの第２の開口を有する便座部と、前記台座部に開閉回動可能に連結され、閉状態において前記便座部を上方から覆う蓋部と、を備え、前記便座部は、着座姿勢において、小便を貯留可能な小便用貯留袋及び大便を貯留可能な大便用貯留袋を取り付け可能な取り付け部を裏面に有し、前記取り付け部は、前記第２の開口を区画するように、前記第２の開口の前方側の位置に前記小便用貯留袋又は前記第２の開口の後方側の位置に前記大便用貯留袋を取り付け可能であり、前記小便用貯留袋及び前記大便用貯留袋は、前記便座部及び前記蓋部を開状態にすることにより前記取り付け部に取り付け可能であり、前記小便用貯留袋又は前記大便用貯留袋を前記取り付け部に取り付けずに前記貯留容器のみの場合には、前記貯留容器に小便及び大便を貯留可能であり、前記小便用貯留袋を前記取り付け部に取り付けた場合には、前記小便用貯留袋に小便を貯留可能であり、前記大便用貯留袋を前記取り付け部に取り付けた場合には、前記大便用貯留袋に大便を貯留可能であることを特徴とする。
【０００８】
（１）の簡易トイレ用便座は、台座部に対して開閉回動可能な便座部の裏面に取り付け部が設けられているために、小便用貯留袋又は大便用貯留袋を取り付ける場合には、簡易トイレ便座を貯留容器から取り外すことなく、便座部を開状態にすることにより簡単に小便用貯留袋又は大便用貯留袋を取り付け交換することができる。
【０００９】
また、（１）の簡易トイレ用便座は、小便用貯留袋又は大便用貯留袋の交換に際し、小便用貯留袋又は大便用貯留袋を用便側ではない裏面側から取り扱うために、し尿に触れてしまうことがなく衛生的である。
【００１０】
また、（１）の簡易トイレ用便座は、小便用貯留袋又は大便用貯留袋を取り付け部に取り付けずに貯留容器のみの場合には、貯留容器に小便及び大便を貯留可能であり、小便用貯留袋を取り付け部に取り付けた場合には、小便用貯留袋に小便を貯留可能であり、大便用貯留袋を取り付け部に取り付けた場合には、大便用貯留袋に大便を貯留可能であるために、使用環境や要望に応じて、し尿の貯留場所を選択することができる。
【００１１】
（２）本考案に係る簡易トイレ用便座においては、前記小便用貯留袋及び前記大便用貯留袋が前記取り付け部に取り付けられた場合において、前記大便用貯留袋は、水分を透過可能に形成され、前記取り付け部において前記第２の開口の後方側の位置に取り付けられ、前記小便用貯留袋は、内部に前記大便用貯留袋を保持するように、前記第２の開口全周に対応する前記取り付け部に取り付けられ、前記大便用貯留袋に大便が貯留された場合には、前記大便用貯留袋から水分が透過して固形物のみが貯留され、前記小便用貯留袋に前記大便用貯留袋から透過した水分が貯留されることを特徴とする。
【００１２】
（２）の簡易トイレ用便座は、大便用貯留袋が水分を透過可能に構成されており、小便用貯留袋の内側に大便用貯留袋が保持されるように、第２の開口全周に対応する取り付け部に取り付けられているために、大便用貯留袋から染み出た水分が小便用貯留容器に貯留される。このため、簡易トイレ用便座においては、大便用貯留袋で固形分を貯留し、小便用貯留袋で水分を貯留することができ、各貯留袋の取り扱いを用意にすることができる。
【考案の効果】
【００１３】
本考案によれば、貯留袋の取り付けや交換が容易な簡易トイレ用便座を提供することができる。
【図面の簡単な説明】
【００１４】
【図１】本考案に係る簡易トイレ用便座が用いられた簡易トイレを示す図である。
【図２】簡易トイレの分解斜視図である。
【図３】簡易トイレ用便座の分解斜視図である。
【図４】取り付け部への小便用貯留袋及び大便用貯留袋の取り付けを示す図である。
【図５】簡易トイレの断面図である。
【図６】取り付け部の取り付け切欠を示す図である。
【図７】取り付け部への小便用貯留袋及び大便用貯留袋の取り付け・交換を示す図である。
【図８】第２の実施形態を示す簡易トイレの断面図である。
【考案を実施するための形態】
【００１５】
＜第１の実施の形態＞
以下、本考案の簡易トイレ用便座３の実施形態について、図１から図７を用いて説明する。図１は、本考案に係る簡易トイレ用便座３が用いられた簡易トイレ１を示す図である。図２は、簡易トイレ１の分解斜視図である。図３は、簡易トイレ用便座３の分解斜視図である。図４は、取り付け部７４への小便用貯留袋４及び大便用貯留袋５の取り付けを示す図である。図５は、簡易トイレ１の断面図である。図６は、取り付け部７４の取り付け切欠７５を示す図である。図７は、取り付け部７４への小便用貯留袋４及び大便用貯留袋５の取り付け・交換を示す図である。
【００１６】
本考案に係る簡易トイレ用便座３は、運搬可能であり、屋外等に設置して簡易的に使用される簡易トイレ１に用いられる。
なお、本実施形態において使用される方向は、図１及び図４に示すように、設置された簡易トイレ１用との対峙状態において、近い側を「手前」（図１及び図５中Ａ方向側）とし、遠い側を「奥」（図１及び図５中Ｂ方向側）とし、設置面側を「下」（図１及び図５において、紙面下側）とし、設置面と反対側を「上」（図１及び図５において、紙面上側）とする。また、ペール缶２を覆った状態を「閉」（図１及び図５中Ｃ方向を閉方向）とし、覆っていない状態を「開」（図１及び図５中Ｄ方向を開方向）とする。
【００１７】
簡易トイレ１は、図１に示すように、所定の設置場所に設置した状態において、着座姿勢により、用便が行われる。用便により排出されたし尿（小便及び大便）は、簡易トイレ１に貯留される。
【００１８】
簡易トイレ１は、本実施形態においては、図２、図３及び図５に示すように、ペール（ＰＡＩＬ）缶２と、ペール缶２上に取り付ける簡易トイレ用便座３と、簡易トイレ用便座３に取り付けられる各貯留袋（小便用貯留袋４及び大便用貯留袋５）を備える。
【００１９】
ペール缶２は、鉄製の円筒形状の容器により形成される。
ペール缶２とは、図２及び図５に示すように、原則として一人運搬可能な手さげ付きの容器で、円筒形状の胴体部２１と、胴体部２１の一端側に有底となるように胴体部２１に固着される地板２２と、他端側は開放し、蓋となる天板（図示せず）とを有するものである。また、ペール缶２とは、一般的には容積が１３リットル程度から２８リットル程度であり、ドラム缶に比して小型の缶をいう。
【００２０】
本実施形態においてペール缶２は、図２及び図５に示すように、簡易トイレ１の貯留容器として用いるために、天板を取り外して用いられる。
また、本実施形態におけるペール缶２は、用便に適した高さである日本工業規格の２０リットル容量のものが用いられる。
【００２１】
なお、本実施形態においてペール缶２は、鉄製のものを用いたがこれに限られない。ペール缶２は、用便時に簡易トイレ用便座３に着座したときに変形・破損しない剛性を有していればよく、合成樹脂により形成してもよい。外部での使用を考慮して錆びないステンレス製のものを用いてもよい。なお、合成樹脂のように磁性を有さない材料からなるペール缶２の場合には、例えば、小型の鉄板や磁石を、両面粘着テープを用いてペール缶２に貼着して、磁石１０に吸着させてもよい。
また、本実施形態に用いられるペール缶２は、設置場所や利用者の状況等により、決定することが可能である。
【００２２】
簡易トイレ用便座３は、図２及び図３に示すように、合成樹脂製に形成され、台座部６と、便座部７と、便蓋部８（蓋部）とを備える。
【００２３】
台座部６は、図２に示すように、ペール缶２の外径よりもやや大きく、楕円形状に形成される。
台座部６は、図３に示すように、台座本体部６１と、円孔部６２（第１の開口）と、内側下垂部６３と、外側下垂部６４と、軸受部６５と、を備える。
【００２４】
台座本体部６１は、図５に示すように、簡易トイレ用便座３のペール缶２への取り付け状態において、ペール缶２の上端を覆い、便座部７とペール缶２の間に位置して、台座として機能する。
【００２５】
台座本体部６１の裏面には、中央部付近において円孔部６２を隔てて手前側と奥側の２箇所に磁石１０が設けられる。
磁石１０は、金属製（本実施形態においては、鉄製）のペール缶２に取り付けられることにより、磁力によりトイレ用便座をペール缶２に固定して、ペール缶２の位置ずれや脱落を防止することができる。
【００２６】
円孔部６２は、ペール缶２の開放部分に対応して台座部６（詳細には、台座本体部６１部）の中央部に設けられる開口である。
【００２７】
内側下垂部６３は、図５に示すように、台座本体部６１部の内側で、円孔部６２を構成する台座本体部６１部から下垂した部分である。
外側下垂部６４は、図５に示すように、台座本体部６１部の外側で、簡易トイレ用便座３のペール缶２への取り付け状態において、ペール缶２の外周を覆うように形成された台座本体部６１部から下垂した部分である。
【００２８】
内側下垂部６３及び外側下垂部６４は、ペール缶２の取り付け状態において、簡易トイレ用便座３にペール缶２からのズレ方向の力が加わっても、ペール缶２に内側下垂部６３又は外側下垂部６４のいずれかが接触するために、ペール缶２からの簡易トイレ用便座３の脱落を防止することができる。
【００２９】
軸受部６５は、図３に示すように、簡易トイレ用便座３のペール缶２への取り付け状態において、台座部６の奥側に位置しており、便座部７及び便蓋部８を連結する軸９（図５参照）の軸受として機能する。
軸受部６５は、便座部７及び便蓋部８の閉状態において、簡易トイレ用便座３の表面が同一面を構成する高さとなり、便蓋部８の開状態において便蓋部８の開方向の回動規制を可能にするように、所定の高さ膨隆している。
【００３０】
便座部７は、図３に示すように、便座本体部７１と、楕円孔部７２（第２の開口）と、連結部７３と、取り付け部７４と、を備える。
便座本体部７１は、用便時の着座部位となる部分であり、外形及び楕円孔部７２により形成される内形が用便に適して楕円形状に形成される。
【００３１】
楕円孔部７２は、台座部６の円孔部６２に対応して、便座部７の中央部に形成される、便座本体部７１の内形を構成する開口である。
【００３２】
連結部７３は、図５に示すように、台座部６の軸受部６５に対応して、簡易トイレ用便座３のペール缶２への取り付け状態において奥側に設けられ、軸９によって開閉回動可能に台座部６に取り付けられる。
【００３３】
取り付け部７４は、図３及び図４に示すように、便座本体部７１の内形部分の全周において、便座本体部７１の内側端部を曲成して形成され、下垂する部分を所定の長さ延設して形成される。
【００３４】
取り付け部７４には、図３及び図６に示すように、奥行き方向の中央部付近に取り付け切欠７５が２箇所設けられる。
【００３５】
取り付け切欠７５は、図５に示すように、取り付け部７４に小便用貯留袋４及び大便用貯留袋５を取り付けることにより、楕円孔部７２の楕円空間を前方及び後方の所定の領域に区画する。
前方の領域は、簡易トイレ１の使用時（着座姿勢により小便をしている時）に取り付けた小便用貯留袋４に小便が貯留可能な領域である。
後方の領域は、簡易トイレ１の使用時（着座姿勢により大便をしている時）に取り付けた大便用貯留袋５に大便が貯留可能な領域である。
したがって、取り付け切欠７５は、簡易トイレ１の使用時に取り付けた小便用貯留袋４及び大便用貯留袋５に小便及び大便が貯留可能になる位置に形成される。
【００３６】
また、取り付け切欠７５は、取り付け部７４の一部に形成されたスリットであり、スリットの上部には円形部分が形成される。取り付け切欠７５を構成するスリット及び円形部分は、取り付け切欠７５に押し込まれた小便用貯留袋４及び大便用貯留袋５が保持可能な大きさに形成される。
【００３７】
上述したように構成される台座部６及び便座部７は、図５に示すように、簡易トイレ用便座３に着座したときに、体重がペール缶２に直接的に伝わるように、少なくとも、台座部６及び便座部７の接点は、ペール缶２の上端の直上に位置するように形成されることが好ましい。
【００３８】
便蓋部８は、図３に示すように、ペール缶２内に貯留されたし尿の臭い等の拡散を直接防ぎ、簡易トイレ１の不使用時に便座部７を露出させないために、便座部７の外形を覆う大きさに形成される。
【００３９】
便蓋部８は、図５に示すように、便座部７と同様に、台座部６の軸受部６５に対応して連結部８１が設けられ、台座部６に軸９を介して、開閉回動可能に連結される。
【００４０】
大便用貯留袋５及び小便用貯留袋４は、図４に示すように、矩形形状の袋体である。大便用貯留袋５及び小便用貯留袋４は、取り付け部７４において、撓ませて保持させるために、所定の剛性を有するビニルにより形成される。
【００４１】
大便用貯留袋５及び小便用貯留袋４の開口の大きさは、取り付け部７４の外縁と取り付け切欠７５とにより構成される半月型の取り付け領域よりも若干小さめに形成するのが望ましい。このように形成すれば、大便用貯留袋５及び小便用貯留袋４は、取り付けに際して、取り付け領域に合わせて広げるために、取り付け部７４への高い保持力を得ることができる。
【００４２】
大便用貯留袋５及び小便用貯留袋４は、取り付け部７４分への保持負担を軽減するために、簡易トイレ１の使用時において、図５に示すように、ペール缶２の底に到達して、ペール缶２の底部に停留するような大きさに形成される。
【００４３】
小便用貯留袋４及び大便用貯留袋５には、図４に示すように、開口部分付近には廃棄時に貯留したし尿が溢れる等を考慮せず取り扱いを容易にするために、開口部分付近を所定量だけ折り返した状態で維持するジッパー４１、５１が設けられる。
【００４４】
小便用貯留袋４及び大便用貯留袋５は、図４及び図５に示すように、簡易トイレ用便座３に所定量を折り返した状態で取り付けられる。
小便用貯留袋４及び大便用貯留袋５は、簡易トイレ用便座３に折り返した状態で取り付けられることにより、小便用貯留袋４及び大便用貯留袋５の交換時に、折り返しを元の状態に戻すことにより、折り返されていたことでし尿に接していない部分が出てくるために、し尿に触れる心配がなく簡単に取り扱うことができる。
【００４５】
また、小便用貯留袋４及び大便用貯留袋５には、例えば、ポリアクリル酸ナトリウム等の高吸水性高分子である吸収体を入れておくことにより、小便用貯留袋４及び大便用貯留袋５に貯留された小便及び大便をゲル化させることができるために、使用済みの小便用貯留袋４及び大便用貯留袋５の取り扱いを容易にすることができる。
【００４６】
以上のように構成される簡易トイレ１は、蓋体を取り除いたペール缶２上に、簡易トイレ用便座３を取り付けることにより、トイレとして使用される。この際、簡易トイレ用便座３は、台座部６の裏面に設けられる磁石１０により、ペール缶２に強固に取り付けられる。
【００４７】
簡易トイレ１の使用は、図１に示すように、便蓋部８及び便座部７を開方向に回動させて、便蓋部８及び便座部７を開状態にして、簡易トイレ用便座３（詳細には、便座部７の便座本体部７１）に着座することにより、用便を行う。
【００４８】
簡易トイレ１においては、着座状態で用便を行うため、ペール缶２の前方において小便、ペール缶２の後方おいて大便を分別することができる。したがって、簡易トイレ１においては、この分別された領域に対応する位置に小便用貯留袋４及び大便用貯留袋５が配置されるために、小便用貯留袋４及び大便用貯留袋５に確実に大便及び小便を貯留させることができる。
【００４９】
小便用貯留袋４及び大便用貯留袋５の取り付け及び交換は、簡易トイレ用便座３をペール缶２から取り外した状態で、簡易トイレ用便座３を裏返して行うこともできるが、図７に示すように、簡易トイレ用便座３のペール缶２の取り付け状態において、便座部７を開状態にして行うことができる。
【００５０】
このように、簡易トイレ用便座３を取り付けた状態で小便用貯留袋４及び大便用貯留袋５の取り付け及び交換を行うことで、ペール缶２に簡易トイレ用便座３が固定されて安定して作業ができ、取り付け作業及び交換作業の作業性を向上させることができる。
【００５１】
また、交換作業時には、小便用貯留袋４及び大便用貯留袋５には小便及び大便が貯留されているために、小便用貯留袋４及び大便用貯留袋５から小便及び大便が溢れる等の心配もなく、衛生状態を良好に保ったまま交換作業を行うことができる。
【００５２】
本実施形態における簡易トイレ１は、小便用貯留袋４及び大便用貯留袋５を取り付けた場合の例を示したがこれに限られない。
簡易トイレ１においては、例えば、小便用貯留袋４及び大便用貯留袋５を取り付けずに、ペール缶２にし尿を貯留するようにしてもよい。
また、簡易トイレ１においては、例えば、小便用貯留袋４のみを取り付けて、小便を小便用貯留袋４に貯留し、大便をペール缶２に貯留するようにしてもよい。
また、簡易トイレ１においては、例えば、大便用貯留袋５のみを取り付けて、大便を大便用貯留袋５に貯留し、小便をペール缶２に貯留するようにしてもよい。
つまり、簡易トイレ１においては、簡易トイレ用便座３を用いることで、使用の状況や環境に応じて、小便用貯留袋４及び（又は）大便用貯留袋５を使用したり、ペール缶２にし尿を貯留したりするように、し尿の貯留場所を選択することができる。
【００５３】
＜第２の実施の形態＞
以下、本考案の第２の実施の形態について、図８を用いて説明する。図８は、第２の実施形態を示す簡易トイレ１の断面図である。第１の実施の形態については、上述した第１の実施の形態と異なる点を主に説明し、同様の点は、同一の符号を付して説明を省略する。特に説明しない点は、第１の実施の形態についての説明が適宜適用される。
【００５４】
本実施形態においては、第１の実施形態におけるビニル製の大便用貯留袋５に代えて、所定の隙間を有する布製の大便用貯留袋５を用いる。
【００５５】
小便用貯留袋４は、第１の実施形態においては、図５に示すように、便座部７の楕円孔部７２において前方の領域（小便を貯留可能な領域）に対応して取り付けられたが、第２の実施形態においては、図８に示すように、楕円孔部７２の全体（少なくとも、前方及び後方の領域、そして大便用貯留袋５を囲む領域）に対応して取り付けられる。
【００５６】
このように構成される簡易トイレ１においては、所定の隙間を有する布製の大便用貯留袋５を用いており、この大便用貯留袋５を包み込むように小便用貯留袋４が取り付けられているために、大便用貯留袋５に貯留されたし尿の水分のみが大便用貯留袋５を透過して染み出して、小便用貯留袋４に水分が貯留される。
【００５７】
このため、簡易トイレ１においては、水分の少ない大便が大便用貯留袋５に貯留され、小便及び大便の水分が小便用貯留袋４に貯留されるために、各貯留袋で貯留されるし尿の性状をわかることができる。その結果、簡易トイレ１においては、小便用貯留袋４及び大便用貯留袋５の取り扱いが容易になる。
【００５８】
また、簡易トイレ１においては、小便用貯留袋４に用便により貯留される水分が集められるために、小便用貯留袋４のみに吸水体を入れておけばよく、吸水体の使用量を節約することができる。
【００５９】
なお、本実施形態において、大便用貯留袋５は、水分を透過させるために布製のものを用いたがこれに限られない。大便用貯留袋５は、大便用貯留袋５内に貯留された余剰の水分を透過可能であればよく、例えば、ビニル製の大便用貯留袋５であっても、所定の間隔で穴を複数も受けることでも、大便を保持可能なネット形状により形成してもよい。
【００６０】
以上、本考案に係る簡易トイレ用便座３の好適な実施の形態について説明したが、本考案に係る簡易トイレ用便座３は、上述した実施の形態に限定されることなく種々の形態で実施することができる。
【００６１】
なお、本実施形態において、貯留容器は、剛性や可搬性等を考慮して、ペール缶２を用いたが、これに限られない。貯留容器は、小便及び大便を貯留可能であり、用便により人が簡易トイレ用便座３に座っても変形・破損しない程度の剛性を有する素材や形状であればよい。
【００６２】
また、貯留容器は、本実施形態においては、ペール缶のような運搬可能な容器として構成したがこれに限られない。貯留容器は、簡易トイレ用便座への着座姿勢に適した高さであり、内部にし尿を貯留可能であり、小便用貯留袋及び大便用貯留袋が取り付け可能な空間を有していればよく、例えば、運搬不能に据え置かれた容器や、簡易トイレ用便座を所定の高さに保持可能であり、簡易トイレ用便座の下に所定の空間を有するような構造物でもよい。
【００６３】
また、簡易トイレ１においては、し尿を小便用貯留袋４や大便用貯留袋５や直接ペール缶２に貯留したがこれに限られない。例えば、便座部７の開口全周に対応した貯留袋を取り付けて、小便及び大便を一括して貯留するように構成することができる。この場合、貯留袋で貯留するために、ペール缶２にし尿が接することがなく、ペール缶２が汚れてしまうことがない。
【００６４】
また、小便用貯留袋４や大便用貯留袋５を取り付け部７４に嵌め込むようにして取り付けたがこれに限られない。例えば、両面テープ等により、小便用貯留袋４及び大便用貯留袋５と取り付け部７４とを接着したり、取り付け部７４にフック等を形成して、小便用貯留袋４及び大便用貯留袋５を引っ掛けたりして取り付けてもよい。
【符号の説明】
【００６５】
１    簡易トイレ
２    ペール缶（貯留容器）
３    簡易トイレ用便座
４    小便用貯留袋
５    大便用貯留袋
６    台座部
７    便座部
８    便蓋部（蓋部）
６２    円孔部（第１の開口）
７２    楕円孔部（第２の開口）
７４    取り付け部
【図１】
0003169968.tif 000003
【図２】
0003169968.tif 000004
【図３】
0003169968.tif 000005
【図４】
0003169968.tif 000006
【図５】
0003169968.tif 000007
【図６】
0003169968.tif 000008
【図７】
0003169968.tif 000009
【図８】
0003169968.tif 000010